(57)【要約】【課題】第１の実行環境で追加された複数の印刷設定項目に対する設定値の組を、第２の実行環境でも活用可能とする。【解決手段】第１の実行環境で動作する第１のプリンタドライバは、複数の印刷設定項目に対する設定値の組を一覧に追加し、第２の実行環境で動作する第２のプリンタドライバに対応するアプリケーションは、第１のプリンタドライバが追加した設定値の組を取得し、設定値の組を選択肢として表示する。【選択図】図９
2015176354.tif 000002
【特許請求の範囲】
【請求項１】
複数の印刷設定項目に対する設定値の組を一覧に追加する、第１の実行環境で動作する第１のプリンタドライバと、
前記第１のプリンタドライバが追加した前記設定値の組を取得し、前記設定値の組を選択肢として表示する、第２の実行環境で動作する第２のプリンタドライバに対応するアプリケーションと、
を有することを特徴とする情報処理装置。
【請求項２】
前記第１の実行環境及び前記第２の実行環境の、一方はマウス操作を想定したユーザインタフェース環境であり、もう一方はタッチ操作を想定したユーザインタフェース環境である
ことを特徴とする請求項１に記載の情報処理装置。
【請求項３】
前記第１のプリンタドライバは、設定値が初期設定値と異なる１以上の印刷設定項目に対する設定値の組を識別子と関連付けて前記一覧に追加する
ことを特徴とする請求項１又は２に記載の情報処理装置。
【請求項４】
前記第１のプリンタドライバは、前記設定値の組の前記アプリケーションによる利用の可否を指定する指定手段を有し、
前記アプリケーションは、前記指定手段により利用不可が指定された前記設定値の組は設定に使用しないよう構成されている
ことを特徴とする請求項１乃至３の何れか一項に記載の情報処理装置。
【請求項５】
前記第１のプリンタドライバで設定された印刷設定項目が前記アプリケーションで有効か否かを判定する第１の判定手段を更に有し、
前記指定手段は、前記第１のプリンタドライバを介して受け付けかつ設定値が初期設定値と異なる１以上の印刷設定項目の全てが前記アプリケーションで有効でないと前記第１の判定手段により判定された場合、前記設定値の組の前記アプリケーションによる利用を不可に指定する
ことを特徴とする請求項４に記載の情報処理装置。
【請求項６】
前記指定手段は、前記第１のプリンタドライバを介して受け付けかつ設定値が初期設定値と異なる１以上の印刷設定項目の少なくとも１つが前記アプリケーションで有効であると前記第１の判定手段により判定された場合、前記設定値の組の前記アプリケーションによる利用を可能に指定し、
前記情報処理装置は、前記指定手段が前記設定値の組の前記アプリケーションによる利用を可能に指定し、かつ、該設定値の組に対応する印刷設定項目の少なくとも１つが前記アプリケーションで有効でないと前記第１の判定手段により判定された場合に、該設定値の組に対応する印刷設定項目の少なくとも１つが前記アプリケーションで有効でないことを示すメッセージを表示する第１の表示手段を更に有する
ことを特徴とする請求項５に記載の情報処理装置。
【請求項７】
前記第１のプリンタドライバで設定された印刷設定項目が前記アプリケーションで設定変更が可能であるか否かを判定する第２の判定手段を更に有し、
前記情報処理装置は、前記指定手段が前記設定値の組の前記アプリケーションによる利用を可能に指定し、かつ、該設定値の組に対応する印刷設定項目の少なくとも１つが前記アプリケーションで設定変更が可能でないと前記第２の判定手段により判定された場合に、該設定値の組に対応する印刷設定項目の少なくとも１つが前記アプリケーションで設定変更が可能でないことを示すメッセージを表示する第２の表示手段を更に有する
ことを特徴とする請求項５又は６に記載の情報処理装置。
【請求項８】
前記第１のプリンタドライバは、前記設定値の組と同一の設定値の組が前記一覧に既に含まれている場合、該設定値の組の前記一覧への格納を抑止する
ことを特徴とする請求項１乃至７の何れか一項に記載の情報処理装置。
【請求項９】
複数の印刷設定項目に対する設定値の組を一覧に追加する、第１の実行環境で動作する第１のプリンタドライバに対応するアプリケーションと、
前記アプリケーションが追加した前記設定値の組を取得し、前記設定値の組を選択肢として表示する、第２の実行環境で動作する第２のプリンタドライバと、
を有することを特徴とする情報処理装置。
【請求項１０】
第１の実行環境で動作する第１のプリンタドライバが、複数の印刷設定項目に対する設定値の組を一覧に追加する工程と、
第２の実行環境で動作する第２のプリンタドライバに対応するアプリケーションが、前記第１のプリンタドライバが追加した前記設定値の組を取得し、前記設定値の組を選択肢として表示する工程と、
を含むことを特徴とする情報処理装置の制御方法。
【請求項１１】
第１の実行環境で動作する第１のプリンタドライバに対応するアプリケーションが、複数の印刷設定項目に対する設定値の組を一覧に追加する工程と、
第２の実行環境で動作する第２のプリンタドライバが、前記アプリケーションが追加した前記設定値の組を取得し、前記設定値の組を選択肢として表示する工程と、
を含むことを特徴とする情報処理装置の制御方法。
【請求項１２】
コンピュータを、請求項１乃至９の何れか一項に記載の情報処理装置の各手段として機能させるためのプログラム。
【発明の詳細な説明】
【技術分野】
【０００１】
本発明は印刷設定の技術に関するものである。
【背景技術】
【０００２】
画像処理装置による印刷出力の設定を行うためのユーザインタフェース（ＵＩ）において、複数の印刷設定項目に対する設定値の組に名称をつけて保存しておき、当該複数の印刷設定項目を一括で設定可能とする「お気に入り印刷設定機能」がある。具体的には、ＵＩを介して、保存しておいた１以上の組の中から１つの組に対応する名称を選択し、当該選択した名称に対応する複数の印刷設定項目に対する設定値を現在の印刷設定として一括で適用する機能がある。例えば、特許文献１には、このようなお気に入り印刷設定機能をもつ印刷設定ＵＩが開示されている。
【先行技術文献】
【特許文献】
【０００３】
【特許文献１】特開２００６−３３１４５６号公報
【発明の概要】
【発明が解決しようとする課題】
【０００４】
本明細書ではユーザーの利便性向上のために、情報処理装置で複数の実行環境を動作させる場合について検討する。複数の実行環境の一例としては例えば１つの実行環境がマウスやキーボードを利用して操作することを想定して動作し、他の実行環境としてタッチパネルを利用して操作することを想定して動作することが挙げられる。
【０００５】
こうした複数の実行環境を動作させることを想定した場合に、それぞれの実行環境では印刷設定を行うためにそれぞれ異なるプリンタドライバ又はアプリケーションが必要になる。よって、特許文献１のように１つの実行環境で複数の印刷設定項目に対する設定値の組をお気に入りとして保存しても、他の実行環境で動作するプリンタドライバ又はアプリケーションでは当該保存された設定値の組を活用できない。
【０００６】
本発明は上述の問題点に鑑みなされたものであり、第１の実行環境で追加された複数の印刷設定項目に対する設定値の組を、第２の実行環境でも活用することを目的とする。
【課題を解決するための手段】
【０００７】
上述の問題点を解決するため、本発明に係る情報処理装置は以下の構成を備える。すなわち、情報処理装置は、複数の印刷設定項目に対する設定値の組を一覧に追加する、第１の実行環境で動作する第１のプリンタドライバと、前記第１のプリンタドライバが追加した前記設定値の組を取得し、前記設定値の組を選択肢として表示する、第２の実行環境で動作する第２のプリンタドライバに対応するアプリケーションと、を有する。又は、情報処理装置は、複数の印刷設定項目に対する設定値の組を一覧に追加する、第１の実行環境で動作する第１のプリンタドライバに対応するアプリケーションと、前記アプリケーションが追加した前記設定値の組を取得し、前記設定値の組を選択肢として表示する、第２の実行環境で動作する第２のプリンタドライバと、を有する。
【発明の効果】
【０００８】
本発明によれば、第１の実行環境で追加された複数の印刷設定項目に対する設定値の組を、第２の実行環境でも活用することが可能となる。
【図面の簡単な説明】
【０００９】
【図１】第１実施形態に係る情報処理装置を含むシステムの構成を示す図である。
【図２】クライアントコンピュータのハードウェア構成を示す図である。
【図３】クライアントコンピュータのソフトウェアのモジュール構成を示す図である。
【図４】デスクトップＵＩ環境における印刷設定ＵＩの画面を例示的に示す図である。
【図５】タッチパネルＵＩ環境における印刷設定ＵＩの画面を例示的に示す図である。
【図６】デスクトップＵＩ環境におけるお気に入りの追加画面を例示的に示す図である。
【図７】タッチパネルＵＩ環境におけるお気に入りの追加画面を例示的に示す図である。
【図８】お気に入り設定に関係する各データの構造を例示的に示す図である。
【図９】第１実施形態に係るお気に入り登録処理のフローチャートである。
【図１０】お気に入りのインポート処理のフローチャートである。
【図１１】第２実施形態に係るお気に入り登録処理のフローチャートである。
【図１２】第３実施形態に係るお気に入り登録処理のフローチャートである。
【図１３】用紙の揃え方のパターンを例示的に示す図である。
【発明を実施するための形態】
【００１０】
以下に、図面を参照して、この発明の好適な実施の形態を詳しく説明する。なお、以下の実施の形態はあくまで例示であり、本発明の範囲を限定する趣旨のものではない。
【００１１】
（第１実施形態）
本発明に係る情報処理装置の第１実施形態として、２つのユーザインタフェース環境（実行環境）を有するクライアントコンピュータを例に挙げて以下に説明する。
【００１２】
＜システム構成＞
図１は、第１実施形態に係る情報処理装置を含むシステムの構成を示す図である。このシステムは、クライアントコンピュータ１０１と、ページ記述言語（ＰＤＬ）形式の印刷データを受信し印刷を行なうことが可能なプリンタ１０２を含んでいる。これらの装置は、ローカル・エリア・ネットワーク（ＬＡＮ）に代表されるネットワーク１０３を介して接続され相互に通信可能に構成されている。ネットワーク１０３は、外部のネットワークと接続され通信可能である。なお、プリンタ１０２は、印刷機能のみを備えるシングルファンクションプリンタでも、印刷機能、スキャン機能、複写機能を備えるマルチファンクションプリンタでも構わない。
【００１３】
図２は、クライアントコンピュータ１０１のハードウェア構成を示す図である。クライアントコンピュータ１０１において、中央演算処理装置（ＣＰＵ）２０１は、ランダムアクセスメモリ（ＲＡＭ）２０２に記憶されているプログラムに従って、システムバス２０４に接続される各デバイスを制御する。なお、クライアントコンピュータ１０１は、少なくとも１つのＣＰＵを備える。
【００１４】
ＲＡＭ２０２は、ＣＰＵ２０１の主メモリ、ワークエリア等として機能する。リードオンリーメモリ（ＲＯＭ）２０３は、各種プログラム及びデータを格納する。各種フォントを記憶するフォントＲＯＭ２０３ａ、ブートプログラムや基本入出力システム（ＢＩＯＳ）等を記憶するプログラムＲＯＭ２０３ｂ、および各種データを記憶するデータＲＯＭ２０３ｃに区分けして構成される。
【００１５】
操作入力装置インターフェース（Ｉ／Ｆ）２０５は、キーボードやポインティングデバイス（マウス）などの操作入力装置２０９を制御する。タッチディスプレイＩ／Ｆ２０６は、タッチディスプレイ２１０への画面表示を制御する。さらにタッチディスプレイ２１０は、タッチ操作による入力を操作入力装置Ｉ／Ｆ２０５へ伝える。なお、以下では、クライアントコンピュータ１０１がタッチディスプレイ２１０を有することを前提として説明するが、タッチ操作に非対応のディスプレイを有する構成でもよい。
【００１６】
外部メモリＩ／Ｆ２０７は、例えばハードディスク（ＨＤ）、ソリッドステートドライブ（ＳＳＤ）等の外部メモリ２１１とのアクセスを制御する。外部メモリ２１１は、オペレーティングシステム（ＯＳ）をはじめ、各種アプリケーション、各種ファイル等を記憶し、コンピュータが読み取り可能な記憶媒体として機能する。さらに、外部メモリ２１１は、以下で説明する印刷処理関連のプログラムを記録する。ネットワークＩ／Ｆ２０８は、ネットワーク１０３を介してプリンタ１０２に接続され、プリンタ１０２との間で通信制御処理を行う。
【００１７】
図３は、クライアントコンピュータ１０１のソフトウェアのモジュール構成を示す図である。特に、クライアントコンピュータ１０１上で動作するＯＳ３０００内の機能ブロック図を示している。図３の各機能モジュールを実現するプログラムは、外部メモリ２１１に格納されている。必要に応じてＲＡＭ２０２にロードされ、クライアントコンピュータ１０１上のＣＰＵ２０１で実行される。
【００１８】
ＯＳ３０００は、複数のユーザーのログインをサポートするために、セッションという概念が導入されている。セッションとは、ユーザーごとに用意される画面やキーボード、プロセス空間などの接続状態の概念である。セッションには２つの種類がある。一つがユーザーごとに割り当てられるユーザセッション３１００で、もう一つがＯＳの動作に割り当てられる特別なセッションであるシステムセッション３２００である。一般に、セキュリティを考慮して、ユーザセッション３１００とシステムセッション３２００は分離されている。
【００１９】
ログインしたユーザーごとの情報は、ユーザセッション３１００に管理される。ユーザセッション３１００は、ユーザーがシステムへログインした際にユーザー毎に生成され、ユーザーがログアウトした時点で終了される。
【００２０】
ユーザセッション３１００が開始されると、２つのユーザインタフェース環境（ＵＩ環境）が生成される。ここでは、２つのＵＩ環境の一例として、マウス操作に適したデスクトップＵＩ環境３１１０と、タッチパネルの操作に適したタッチパネルＵＩ環境３１２０を例に挙げて説明する。なお、デスクトップＵＩ環境３１１０はデスクトップＵＩ環境用のプラットフォームにより提供され、タッチパネルＵＩ環境３１２０はタッチパネルＵＩ環境用のプラットフォームにより提供される。
【００２１】
タッチディスプレイ２１０には、２つのＵＩ環境の画面のうち１つの画面が排他的に表示され、同時に表示されることはない。それぞれのＵＩ環境では、その環境に特化したアーキテクチャのアプリケーションのみが動作可能である。よって、デスクトップＵＩ環境用に作られたデスクトップアプリケーションは、タッチパネルＵＩ環境で動作しない。また、タッチパネルＵＩ環境用に作られたタッチパネルアプリケーションは、デスクトップＵＩ環境で動作しない。そのため現在表示しているＵＩ環境とは別のＵＩ環境のアプリケーションを使いたい場合、ユーザーはＵＩ環境を切り替えて操作する必要がある。
【００２２】
デスクトップＵＩ環境３１１０では、文書作成アプリやＷＥＢブラウザなどの各種デスクトップアプリケーション（デスクトップアプリ）３１１１が動作する。またプリンタ１０２の印刷設定用にデスクトップＵＩ用印刷設定部３１１２が設置されている。
【００２３】
タッチパネルＵＩ環境３１２０では、メールソフトやＷＥＢブラウザなどの各種タッチパネルアプリケーション（タッチパネルアプリ）３１２１が動作する。またプリンタ１０２の印刷設定用にタッチパネルＵＩ用印刷設定部３１２２が設置されている。
【００２４】
加えて、ユーザセッション３１００には、デスクトップＵＩ用印刷設定部３１１２およびタッチパネルＵＩ用印刷設定部３１２２の双方からアクセス可能なユーザー用記憶部３１３０が設置されている。
【００２５】
システムセッション３２００は、ユーザーに依存しないシステムのセッションである。システムセッション３２００は、ＯＳ３０００起動時に生成され、ＯＳ３０００が終了した時点で終了される。システムセッション３２００では、ログインユーザに依存しないＯＳ３０００の根幹となるサービスが動作しており、印刷関連処理のサービスとしてスプーラ３２０１が動作する。スプーラ３２０１は、デスクトップアプリ３１１１やタッチパネルアプリ３１２１から描画データおよび印刷設定情報を受け付ける。そして、出力先のプリンタ１０２に対応するグラフィックスドライバ３２０２が、描画データおよび印刷設定情報に基づいて印刷データ（ＰＤＬで記述されたデータ）を生成する。その後、スプーラ３２０１は、生成された印刷データをプリンタ１０２へネットワーク１０３経由で送信し、その結果、プリンタ１０２で印刷が実行される。
【００２６】
点線３３００で囲まれたグラフィックスドライバ３２０２とデスクトップＵＩ用印刷設定部３１１２は、プリンタ１０２を開発するハードウェアベンダーよりプリンタドライバとして提供される。例えば、プリンタドライバは、プリンタ１０２の設置時にＯＳ３０００に組み込まれる。
【００２７】
また、点線３４００で囲まれた、タッチパネルＵＩ用印刷設定部３１２２も、プリンタ１０２を開発するハードウェアベンダーより開発提供される。タッチパネルＵＩ用印刷設定部３１２２は、タッチパネルＵＩ環境で動作するプリンタドライバに対応する印刷設定ＵＩを提供するアプリケーションである。
【００２８】
ところで、タッチパネルＵＩ環境３１２０で動作するアプリ群は、セキュリティおよび品質強化のため、外部サーバー上で一括管理される。アプリケーションは、ネットワーク１０３を介して外部サーバーから配布され、クライアントコンピュータに提供される。そして、タッチパネルＵＩ用印刷設定部３１２２は、タッチパネルＵＩ環境３１２０で動作するアプリケーションの一種である。そのため、タッチパネルＵＩ用印刷設定部３１２２は、プリンタドライバのインストールに連動して、自動的にクライアントコンピュータ１０１にダウンロードされ、システムに組み込まれる。
【００２９】
なお、ＯＳ３０００の運用設定や、プリンタドライバの設置手順により、デスクトップＵＩ用印刷設定部３１１２か、タッチパネルＵＩ用印刷設定部３１２２の一方しかＯＳ３０００に存在しない場合がある。例えば、ネットワーク１０３が外部のネットワークに接続されていない場合は、タッチパネルＵＩ用印刷設定部３１２２は外部サーバーより配布されないため、デスクトップＵＩ用印刷設定部３１１２のみが存在することになる。
【００３０】
また、デスクトップＵＩ環境３１１０とタッチパネルＵＩ環境３１２０は異なる実行環境で動作する。例えばデスクトップＵＩ環境３１１０はＷｉｎ３２の実行環境によって実現され、タッチパネルＵＩ環境３１２０はＷｉｎＲＴの実行環境によって実現される。そして、ユーザー用記憶部３１３０は両方の実行環境からアクセスできる記憶領域である。
【００３１】
図４は、タッチディスプレイ２１０上に表示される、デスクトップＵＩ環境３１１０における印刷設定ＵＩの画面を例示的に示す図である。以下、図４を参照して、デスクトップアプリ３１１１から印刷の基本ＵＩ操作フローを説明する。
【００３２】
図３に示すように、デスクトップＵＩ環境３１１０では、デスクトップアプリ３１１１が動作する。図４（ａ）は、デスクトップＵＩ環境３１１０上にデスクトップアプリ３１１１が表示されている例を示す図である。デスクトップＵＩ環境３１１０では、タッチディスプレイ２１０上にデスクトップ４０００という表示空間が全面で表示される。デスクトップアプリ３１１１は、ウィンドウ４００１というデスクトップアプリのための固有の領域内に表示される。デスクトップアプリのメニュー等は個々のウィンドウ４００１内に表示されるので、同時に複数のデスクトップアプリ３１１１をデスクトップ４０００上に表示することが可能である。
【００３３】
ウィンドウ４００１上にはアプリの表示コンテンツや、操作のためのタブ４００２やメニューの項目４００３が表示されている。デスクトップアプリ３１１１はタッチディスプレイ２１０や操作入力装置２０９からの入力を受け付けて、動作する。
【００３４】
デスクトップアプリ３１１１から印刷を行う場合は、ユーザーから、「ファイル」タブ４００２のプルダウンメニューから「印刷」の項目４００３の選択を受け付ける。そうすると、デスクトップアプリ３１１１は、図４（ｂ）に示す印刷用ダイアログ４１００を表示する。印刷用ダイアログ４１００には、出力先のプリンタの選択を行うプリンタ名ボタン４１０１と、選択中のプリンタに対して印刷の詳細設定を行う詳細設定ボタン４１０２と、印刷実行を受け付ける印刷ボタン４１０３が配置されている。詳細設定ボタン４１０２の選択を受け付けると、デスクトップアプリ３１１１は、ＯＳ３０００へプリンタ名ボタン４１０１で選択中のプリンタのための印刷詳細設定を依頼する。その依頼をうけて、ＯＳ３０００は、選択中のプリンタに対応するデスクトップＵＩ用印刷設定部３１１２の印刷設定ＵＩ（印刷設定画面）を表示する。
【００３５】
図４（ｃ）は、デスクトップＵＩ用印刷設定部３１１２の印刷設定ＵＩ４２００を示す図である。デスクトップＵＩ用印刷設定部３１１２は、プリンタ１０２に関する印刷設定の処理を行うモジュールである。印刷設定ＵＩ４２００では、プリンタ１０２用の印刷に関する詳細な印刷設定情報を設定できる。印刷設定ＵＩ４２００は、印刷設定項目群４２０１と、印刷設定を確定するＯＫボタン４２０４を持つ。印刷設定項目群４２０１は、カラー印刷や片面・両面印刷など、プリンタ１０２で使用される現在の印刷設定を表示し、さらに印刷設定の変更をユーザーから受け付ける。
【００３６】
印刷設定ＵＩ４２００は、更に、お気に入り設定名称リスト４２０２と、お気に入りの追加ボタン４２０３を有する。なお、お気に入りとは複数の印刷設定項目に対する設定値の組である。図４（ｄ）は、お気に入りの一覧であるお気に入り設定名称リスト４２０２がクリックされた状態を示す図である。お気に入り設定名称リスト４２０２のクリックを受けて、デスクトップＵＩ用印刷設定部３１１２は、後述する図７のデスクトップＵＩに追加するオプション７００５が有効な状態で追加されたお気に入りを含むお気に入りの名称リストを選択肢として表示する。名称リスト上の１つのお気に入り名称（識別子）の選択を受けると、デスクトップＵＩ用印刷設定部３１１２は、選択されたお気に入りの名称に関連する印刷設定を、印刷設定項目群４２０１に反映する。加えて、お気に入り設定名称リスト４２０２に選択されたお気に入り名称を表示し、図４（ｃ）に表示状態に戻る。その後、ＯＫボタン４２０４が押下されると、印刷設定ＵＩ４２００は、印刷設定項目群４２０１を現在の印刷設定としてＯＳ３０００に返し、図４（ｃ）の印刷設定ＵＩ４２００を閉じる。すなわち、お気に入り設定を容易に設定可能に構成されている。更に、印刷用ダイアログ４１００の印刷ボタン４１０３の押下をうけると（すなわち、印刷指示が入力されると）、印刷データを生成するための処理が実行される。
【００３７】
図５は、タッチディスプレイ２１０上に表示される、タッチパネルＵＩ環境３１２０における印刷設定ＵＩの画面を例示的に示す図である。以下、図５を参照して、タッチパネルアプリ３１２１から印刷の基本ＵＩ操作フローを説明する。
【００３８】
タッチパネルＵＩ環境３１２０は、タッチディスプレイ２１０での操作に重きを置いたＵＩのデザインとなっている。指やペン（スタイラス）などのタッチでの操作が容易であるように、操作メニューはデスクトップＵＩ環境にて提供されるボタンと比較して大きなボタンで構成される。タッチパネルＵＩ環境３１２０では、マウスやキーボードなどの操作入力装置２０９の入力も受け付けるが、以下、タッチディスプレイ２１０操作で説明する。図３に示すようにタッチパネルＵＩ環境３１２０上で、タッチパネルアプリケーション（タッチパネルアプリ）３１２１が動作する。
【００３９】
図５（ａ）は、タッチパネルＵＩ環境３１２０のスタート画面５００１を示す図である。スタート画面５００１は、タッチパネルＵＩ５０００上の全面に表示されている。スタート画面５００１には、タッチパネルアプリ３１２１は、タイル５００２〜５００５という形式で表示されている。ユーザーがタイルをタップすると、そのタイルに該当するタッチパネルアプリ３１２１が、タッチパネルＵＩ５０００の画面全域に表示される。
【００４０】
図５（ｂ）は、ＷＥＢブラウザ５１００の表示例を示す図である。ＷＥＢブラウザ５１００は、タッチパネルＵＩ５０００上の全面に表示され他のアプリは表示されない。タッチパネルアプリ３１２１で印刷を行う場合は、タッチディスプレイ２１０上の右端にタッチし指を滑らせることにより、図５（ｃ）の印刷出力先のプリンタを選ぶプリンタ選択メニュー５２００が表示される。プリンタ選択メニュー５２００には印刷出力先の候補が、列挙されている。その一つである“プリンタＡ”５２０１をタップすると、図５（ｄ）に示すＯＳ３０００により提供される基本印刷設定ＵＩ５３００が表示される。基本印刷設定ＵＩ５３００では、「部数」や「カラーモード」などの基本的な印刷設定情報が設定できる。
【００４１】
詳細設定５３０１が押下されると、図５（ｅ）に示すタッチパネルＵＩ用印刷設定部３１２２の印刷設定ＵＩ５４００が表示される。タッチパネルＵＩ用印刷設定部３１２２は、プリンタ１０２のための印刷設定の処理を行うモジュールである。印刷設定ＵＩ５４００では、印刷設定群５４０１を操作することにより、プリンタ１０２用の印刷に関する詳細な印刷設定情報を設定できる。
【００４２】
印刷設定ＵＩ５４００は、更に、お気に入り設定名称リスト５４０２と、お気に入りの追加ボタン５４０３を有する。図５（ｆ）は、お気に入り設定名称リスト５４０２がクリックされた状態を示す図である。タッチパネルＵＩ用印刷設定部３１２２は、後述する図９のＳ９０５でデスクトップＵＩ用印刷設定部３１１２によって追加されるお気に入りを含む現在保存されているお気に入りの一覧を取得する。そして、選択肢としてお気に入り設定名称リスト５４０２を表示する。お気に入り設定名称リスト５４０２のクリックを受けて、タッチパネルＵＩ用印刷設定部３１２２は、お気に入りの名称リストを表示する。名称リスト上の１つのお気に入り名称の選択を受けると、タッチパネルＵＩ用印刷設定部３１２２は、選択されたお気に入りの名称に関連する印刷設定を、印刷設定群５４０１に反映する。加えて、お気に入り設定名称リスト５４０２に選択されたお気に入り名称を表示し、図５（ｅ）に表示状態に戻る。その後「戻る」のボタン５４０４が押下されると、図５（ｄ）の表示状態となり、更に印刷ボタン５３０２の押下をうけると（すなわち、印刷指示が入力されると）、印刷データを生成するための処理が実行される。
【００４３】
図６は、タッチディスプレイ２１０上に表示される、デスクトップＵＩ環境におけるお気に入りの追加画面６０００を例示的に示す図である。このお気に入りの追加画面６０００は、図４（ｃ）のお気に入りの追加ボタン４２０３の押下をうけて、デスクトップＵＩ用印刷設定部３１１２が表示する。お気に入りの印刷設定に名称（識別子）を付けるために、名称のエディットボックス６００１を持ち、更に説明を追加するためにコメントのエディットボックス６００２をもつ。設計詳細のリストボックス６００３には、デスクトップＵＩ用印刷設定部３１１２で設定されている現在の印刷設定項目群（設定値の１組）が表示される。現在の印刷設定項目群のうち、プリンタドライバの初期印刷設定（初期設定値）と異なるものには、６００４に示すように、その設定値に「＊」をつけて表示する。この「＊」が付いた印刷設定群が、お気に入り設定対象となる。このお気に入り設定対象の抽出処理は図９（ｂ）を用いて後述する。
【００４４】
名称のエディットボックス６００１に名称を入力後、ＯＫボタン６００６が押されると、デスクトップＵＩ用印刷設定部３１１２は、ユーザー用記憶部３１３０にお気に入りの設定を保存する。
【００４５】
図７は、タッチディスプレイ２１０上に表示される、タッチパネルＵＩ環境におけるお気に入りの追加画面７０００を例示的に示す図である。このお気に入りの追加画面７０００は、図５（ｅ）のお気に入りの追加ボタン５４０３の押下をうけて、タッチパネルＵＩ用印刷設定部３１２２が表示する。お気に入りの印刷設定に名称を付けるために、名称のエディットボックス７００１を持ち、更に説明を追加するためにコメントのエディットボックス７００２をもつ。設計詳細のリストボックス７００３には、タッチパネルＵＩ用印刷設定部３１２２で設定されている現在の印刷設定項目群が表示される。現在の印刷設定項目群のうち、プリンタドライバの初期印刷設定と異なるものには、７００４に示すように、その設定値に「＊」をつけて表示する。この「＊」が付いた印刷設定群が、お気に入りの設定対象となる。名称のエディットボックス７００１に名称を入力後、「追加する」ボタン７００６が押されると、タッチパネルＵＩ用印刷設定部３１２２は、ユーザー用記憶部３１３０にお気に入りの設定（設定値の１組）を名称（識別子）と関連付けて保存する（記憶制御手段）。
【００４６】
図８は、お気に入り設定に関係する各データの構造を例示的に示す図である。図８（ａ）〜（ｃ）は、お気に入り設定８００ａ〜８００ｃ（以下では、代表してお気に入り設定８００と表記する）の例を示す。お気に入りの設定８００は、お気に入り名称８０１と、お気に入り設定のコメント８０２と、お気に入り設定対象８０３とを含む。これらの情報は、図６のデスクトップＵＩ環境のお気に入りの追加画面６０００、または図７のタッチパネルＵＩ環境のお気に入りの追加画面７０００への入力情報を元に生成される。
【００４７】
お気に入り名称８０１は、名称のエディットボックス６００１または７００１に入力されたお気に入りの印刷設定の名称を元に生成される。お気に入り設定のコメント８０２は、コメントのエディットボックス６００２または７００２への入力された文字列を元に生成される。お気に入り設定対象８０３は、現在の印刷設定項目群のうちプリンタドライバの初期印刷設定と異なる印刷設定項目とその設定値のリストである。その生成方法は、図９（ｂ）のお気に入り設定対象の抽出処理のフローチャートを参照して後述する。お気に入り設定８００は、デスクトップＵＩ用印刷設定部３１１２とタッチパネルＵＩ用印刷設定部３１２２により、双方からアクセス可能なユーザー用記憶部３１３０に保存される。
【００４８】
図８（ｄ）〜（ｅ）は、お気に入り設定名称リストの例を示す図である。お気に入り設定名称リスト８１０、８２０は、お気に入り設定８００のお気に入り名称８０１で構成される。お気に入り設定名称リスト８１０はデスクトップＵＩ用印刷設定部３１１２のお気に入り設定名称リストの一例である。この情報を元にデスクトップＵＩ用印刷設定部３１１２は、図４（ｄ）のお気に入り設定名称リスト４２０２を表示する。一方、お気に入り設定名称リスト８２０はタッチパネルＵＩ用印刷設定部３１２２のお気に入り設定名称リストの例である。この情報を元にタッチパネルＵＩ用印刷設定部３１２２は、図５（ｆ）のお気に入り設定名称リスト５４０２を表示する。
【００４９】
図９は、第１実施形態に係る情報処理装置におけるお気に入り登録処理のフローチャートである。以下、図９（ａ）〜（ｃ）に示すフローチャートを参照してお気に入りの登録処理について説明する。なお、お気に入り登録処理は、例えば、印刷設定ＵＩ４２００のお気に入りの追加ボタン４２０３を押下された場合に実行される。特に断らない限りこのフローチャートの処理の主体はデスクトップＵＩ用印刷設定部３１１２である。
【００５０】
Ｓ９０１では、デスクトップＵＩ用印刷設定部３１１２は、現在の印刷設定よりお気に入り設定対象８０３を抽出するための処理を行う。図９（ｂ）は、当該抽出処理の詳細フローチャートである。まず、デスクトップＵＩ用印刷設定部３１１２は、印刷設定項目群４２０１で指定されている現在の印刷設定と、図８（ｆ）に示す印刷設定初期値群８３０を取得する（Ｓ９１１）。そして、印刷設定初期値群８３０は、印刷設定項目群４２０１で設定できる印刷設定項目の初期値を保持する。更に、デスクトップＵＩ用印刷設定部３１１２は、現在の印刷設定から、各印刷設定項目をひとつずつ取り出して現在の印刷設定項目とする（Ｓ９１２）。
【００５１】
その後、現在の印刷設定が印刷設定初期値群８３０の該当の初期値と同一の値であるかを判断する（Ｓ９１３）。もし異なる場合は、現在の印刷設定項目とその設定値をお気に入り設定対象の候補として追加する（Ｓ９１４）。もし同じ場合は、お気に入り設定対象の候補として追加しない（Ｓ９１５）。Ｓ９１２〜Ｓ９１５までの処理を現在の印刷設定の全ての印刷設定項目で繰り返し（Ｓ９１２）、全ての印刷設定項目について処理したら、抽出処理を終了する（Ｓ９１７）。
【００５２】
Ｓ９０２では、デスクトップＵＩ用印刷設定部３１１２は、お気に入りの追加画面の「もう一方の印刷設定ＵＩに追加する」の初期値の設定処理を行う。当該処理は、言い換えると、タッチパネルＵＩ用印刷設定部３１２２による利用の可否（利用可能か利用不可）を設定する処理である。デスクトップＵＩ環境のお気に入りの追加画面６０００の場合、「タッチパネルＵＩのお気に入りにも追加する」のチェックボックス６００５の初期値の設定処理となる。
【００５３】
図９（ｃ）は、チェックボックス６００５の初期値の設定処理を説明する詳細フローチャートである。まず、デスクトップＵＩ用印刷設定部３１１２は、もう一つの印刷設定ＵＩであるタッチパネルＵＩ用印刷設定部３１２２が存在するかを確認する（Ｓ９２１）。もし存在しない場合は、タッチパネルＵＩ用印刷設定部３１２２へお気に入りの設定を登録する必要がない。そのため、「もう一方の印刷設定ＵＩに追加する」のチェックボックス６００５をオフにして非表示を初期値の設定とする（Ｓ９２２）。もし存在する場合、タッチパネルＵＩ用印刷設定部３１２２へお気に入りの設定を登録するためチェックボックス６００５をオンにして表示を初期値の設定とする（Ｓ９２３）。その後処理をＳ９２４へ進め、お気に入りの追加画面の「もう一方の印刷設定ＵＩに追加する」の初期値の設定処理を終了する。
【００５４】
Ｓ９０３では、デスクトップＵＩ用印刷設定部３１１２は、お気に入りの追加画面６０００を表示しそのＵＩへの入力を待つ。お気に入りの追加画面６０００のチェックボックス６００５は、の初期値の設定処理（図９（ｃ））で決定された状態となっている。チェックボックス６００５が表示されている場合は、そのオン／オフ設定を受け付ける。名称のエディットボックス６００１への入力後のＯＫボタン６００６の押下をうけて、Ｓ９０４では、デスクトップＵＩ用印刷設定部３１１２は、お気に入り設定８００を生成し、ユーザー用記憶部３１３０に保存する。加えて、Ｓ９０５では、デスクトップＵＩ用印刷設定部３１１２は、デスクトップＵＩ用印刷設定部３１１２用のお気に入り設定名称リスト８１０に名称のエディットボックス６００１へ入力されたお気に入り名称を追加する。
【００５５】
Ｓ９０６では、デスクトップＵＩ用印刷設定部３１１２は、お気に入りの追加画面６０００のチェックボックス６００５の状態を判断する。もしオンの場合は、Ｓ９０７では、デスクトップＵＩ用印刷設定部３１１２は、タッチパネルＵＩ用印刷設定部３１２２のお気に入り設定名称リスト８２０に名称のエディットボックス６００１へ入力されたお気に入り名称を追加する。その後、Ｓ９０８では、お気に入りの登録処理を終了する。
【００５６】
以上説明したとおり第１実施形態によれば、一方の印刷設定ＵＩにおいてお気に入り印刷設定を登録する場合に、もう一方の印刷設定ＵＩからもアクセス可能な共通の記憶領域に当該お気に入り印刷設定を記憶する。この構成により、もう一方の印刷設定ＵＩにおける再登録を必要とすることなく、双方の印刷設定ＵＩでお気に入り印刷設定を利用することが可能となる。
【００５７】
なお、上述の説明においては、デスクトップＵＩ用印刷設定部３１１２の印刷設定ＵＩ４２００においてお気に入りの追加ボタン４２０３を押下される場合の処理について説明した。しかしながら、タッチパネルＵＩ用印刷設定部３１２２の印刷設定ＵＩ５４００のお気に入りの追加ボタン５４０３を押下された場合に、同様の処理によりお気に入りの登録処理を行うよう構成してもよい。
【００５８】
（第２実施形態）
第２実施形態では、一方の印刷設定ＵＩで設定されたお気に入りの設定が、もう一方の印刷設定ＵＩで無効な場合の処理について説明する。
【００５９】
はじめに、もう一方の印刷設定ＵＩでは無効なお気に入りの設定の例について説明する。デスクトップアプリ３１１１の中には、複数ページの文書を印刷する際に、各ページで出力用紙サイズや印刷の向きを変更可能なものがある。そのようなアプリから印刷に対応するために、デスクトップＵＩ用印刷設定部３１１２は、印刷設定項目として用紙の揃え方の印刷設定を持っている。
【００６０】
図１３は、「用紙の揃え方」のパターンを例示的に示す図である。図１３に示すように用紙の揃え方のパターンがあらかじめ複数個定義され、そのパターンを用紙の揃え方の印刷設定の設定値として指定することにより、ステープルなどに必要な用紙の揃え位置を設定することができる。
【００６１】
一方、タッチパネルアプリ３１２１には、複数ページの文書を印刷する際に、各ページで出力用紙サイズや印刷の向きを変更できるものが存在しない。よってタッチパネルＵＩ用印刷設定部３１２２の印刷設定ＵＩ５４００においては、印刷設定群５４０１に用紙の揃え位置の印刷設定項目をもたない。そのため、お気に入り設定対象として、用紙の揃え方の印刷設定項目のみで構成されるお気に入りの設定はタッチパネルＵＩ用印刷設定部３１２２では無効な設定となる。
【００６２】
図１１は、第２実施形態に係る情報処理装置におけるお気に入り登録処理のフローチャートである。具体的には、図１１は、図９（ａ）のＳ９０２のお気に入りの追加画面の”もう一方の印刷設定ＵＩに追加する”の初期値の設定処理の詳細フローチャートである。なお、第１実施形態と同様に、特に断らない限りこのフローチャートの処理の主体はデスクトップＵＩ用印刷設定部３１１２である。
【００６３】
まず、デスクトップＵＩ用印刷設定部３１１２は、もう一方の印刷設定ＵＩであるタッチパネルＵＩ用印刷設定部３１２２が存在するかを確認する（Ｓ９２１）。タッチパネルＵＩ用印刷設定部３１２２が存在しない場合は、タッチパネルＵＩ用印刷設定部３１２２へお気に入りの設定を登録する必要がない。そのため、「もう一方の印刷設定ＵＩに追加する」のチェックボックス６００５をオフにして非表示にする初期値の設定とする（Ｓ９２２）。一方、タッチパネルＵＩ用印刷設定部３１２２が存在する場合、図９（ａ）のＳ９０１のお気に入り設定対象の抽出処理で抽出した現在のお気に入り設定対象と、印刷設定ＵＩサポート表を取得する（Ｓ１００１）。
【００６４】
図８（ｇ）は、印刷設定ＵＩサポート表の一例を示す図である。印刷設定ＵＩサポート表８４０は、２つの印刷設定ＵＩそれぞれにおいて、各印刷設定項目がサポートされているか否かを示す情報で構成されている。無効な印刷設定項目に関しては「無効設定」という文字列が記載されている。ここでは、「タッチパネルＵＩ」では「用紙の揃え方」が無効であるため、当該項目に対し「無効設定」が設定されている。続けて、お気に入り設定対象の未処理の印刷設定項目を一つ取得し、現在の印刷設定項目とする（Ｓ１００２）。印刷設定ＵＩサポート表８４０を用いて、現在の印刷設定項目がもう一方の印刷設定ＵＩで無効設定となっているか否かを判定する（Ｓ１００３）。もし現在の印刷設定項目が無効設定の場合、Ｓ１００４へ処理を進める。もし現在の印刷設定項目が無効設定でない場合、Ｓ９２３へ処理を進める。
【００６５】
Ｓ１００４では、お気に入りの設定対象のすべての印刷設定項目を処理したか判断する。まだ未処理の印刷設定項目がある場合、Ｓ１００２へ処理を進める。すべての印刷設定項目を処理した場合、Ｓ９２２へ処理を進める。Ｓ９２２に処理が進んだ場合、もう一方の印刷設定ＵＩにおいて有効となる印刷設定項目を含まない「無効なお気に入りの設定」である。そのため「もう一方の印刷設定ＵＩに追加する」のチェックボックス６００５をオフにして、非表示を初期値の設定とする。
【００６６】
Ｓ９２３に処理が進んだ場合、もう一方の印刷設定ＵＩのお気に入り設定対象として、少なくとも一つの有効な印刷設定項目を含む。そのためタッチパネルＵＩ用印刷設定部３１２２へお気に入りの設定を登録するチェックボックス６００５をオンにして表示を初期値の設定とする。Ｓ９２２とＳ９２３の処理後、「もう一方の印刷設定ＵＩに追加する」の初期値の設定処理を終了する（Ｓ１００５）。
【００６７】
以上説明したとおり第２実施形態によれば、もう一方の印刷設定ＵＩにおいては無効となる印刷設定項目のみを含むお気に入りの設定の、もう一方の印刷設定ＵＩへの登録を抑止することが可能となる。
【００６８】
（第３実施形態）
一般に、タッチでの操作性向上のために、タッチパネルＵＩはＵＩコントロールを大きめに作り、またコントロールの配置間隔を広めにとる必要がある。つまり、タッチパネルＵＩの表示画面上に配置可能なコントロール数が相対的に限定される。そのため、一般にタッチパネルＵＩでは指定可能な設定項目数は、デスクトップＵＩに比較して少なくなる。
【００６９】
印刷設定ＵＩでも同様であり、印刷設定ＵＩサポート表８４０に示すように、例えば中間調のような印刷設定項目は、設定自体は有効である。しかしながら、中間調は、タッチパネルＵＩ用印刷設定部３１２２には表示されない印刷設定項目である。すなわち、中間調は、タッチパネルＵＩ用印刷設定部３１２２による設定変更が可能ではない印刷設定項目である。このような印刷設定項目を、以下、「ＵＩ非表示の印刷設定項目」と呼ぶことにする。
【００７０】
第２実施形態で説明した「無効な印刷設定項目」と、第３実施形態における「ＵＩ非表示の印刷設定項目」は、ともに印刷設定群５４０１に表示されない印刷設定項目である。そのため、お気に入りの設定を行った場合に、印刷設定項目がＵＩ上に反映されずユーザーが混乱することが想定される。そこで、第３実施形態では、お気に入りの設定がもう一方の印刷設定ＵＩで「無効な印刷設定項目」と「ＵＩ非表示の印刷設定項目」を含むか判断し、そのような印刷設定項目を含む場合に、ユーザーに通知する。
【００７１】
図１２は、第３実施形態に係る情報処理装置におけるお気に入り登録処理のフローチャートである。具体的には、図１２は、図９（ａ）のＳ９０２のお気に入りの追加画面の「もう一方の印刷設定ＵＩに追加する」の初期値の設定処理として動作する。特に断らない限りこのフローチャートの処理の主体はデスクトップＵＩ用印刷設定部３１１２である。
【００７２】
図１２のＳ９２１からＳ９２２およびＳ１００１は、図１０と同様であるため説明を省略する。デスクトップＵＩ用印刷設定部３１１２は、もう一方の印刷設定ＵＩで無効設定の第１カウンタと、「ＵＩ非表示の設定」の第２カウンタを持つ。Ｓ１１０１及びＳ１１０２では、第１カウンタ及び第２カウンタをそれぞれ「０」で初期化する。Ｓ１００２では、お気に入り設定対象の未処理の印刷設定項目を一つ取得し現在の印刷設定項目とする。現在の印刷設定項目がもう一方の印刷設定ＵＩで「無効な印刷設定項目」である場合、第１カウンタをインクリメントする（Ｓ１００３からＳ１１０３）。一方、現在の印刷設定項目がもう一方の印刷設定ＵＩで「ＵＩ非表示の印刷設定項目」である場合、第２カウンタをインクリメントする（Ｓ１１０４からＳ１１０５）。Ｓ１００６で、お気に入り設定対象でまだ現在の印刷設定項目にしていないものがある場合はＳ１００２へ処理を進める。そして、お気に入り設定対象のすべての印刷設定項目を処理した場合、Ｓ１１０６に処理を進める。
【００７３】
Ｓ１１０６では、第１カウンタの値が、お気に入りの印刷設定項目の数と同じであるか否かを判断する（）。第１カウンタの値が印刷設定項目の数と同じである場合、お気に入り設定対象のすべての印刷設定項目が、もう一方の印刷設定ＵＩで「無効な印刷設定項目」であることを意味する。その場合、Ｓ９２２へ処理を進め「もう一方の印刷設定ＵＩに追加する」のチェックボックス６００５をオフにして非表示を初期値の設定とする。一方、第１カウンタの値が印刷設定項目の数と異なる場合、タッチパネルＵＩ用印刷設定部３１２２へお気に入りの設定を登録するためチェックボックス６００５をオンにして表示を初期値の設定とする（Ｓ９２３）。
【００７４】
続けて、デスクトップＵＩ用印刷設定部３１１２は、第１カウンタの値が「０」より大きいか否かを判断する（Ｓ１１０７）。もし第１カウンタの値が０より大きい（１以上）の場合、もう一方の印刷設定ＵＩで無効となる印刷設定項目を含む旨を説明するメッセージを表示する（Ｓ１１０８）。更に、第２カウンタの値が「０」より大きいかを判断する（Ｓ１１０９）。もし第２カウンタの値が０より大きい（１以上）の場合、もう一方の印刷設定ＵＩにおいて非表示（設定変更不可）となる印刷設定項目を含む旨を説明するメッセージを表示する（Ｓ１１１０）。その後、「もう一方の印刷設定ＵＩに追加する」の初期値の設定処理を終了する。
【００７５】
なお、Ｓ１１０８とＳ１１１０のメッセージの表示方法としては、ポップアップなどの別のＵＩでもよいし、図６のお気に入りの追加画面６０００の特定領域６００７に併せて表示してもよい。さらに、図５（ｆ）の５５００に示すように、お気に入り設定名称リスト５４０２のお気に入りの名称の横に特定のアイコンを設けて、長押しした場合にメッセージを表示する方法でもよい。
【００７６】
以上説明したとおり第３実施形態によれば、登録対象のお気に入りの設定がもう一方の印刷設定ＵＩにおいて「無効な印刷設定項目」と「ＵＩ非表示の印刷設定項目」を含む場合にメッセージを表示する。この構成により、お気に入り設定の登録に際し、ユーザーに対して注意喚起を促すことが可能となる。
【００７７】
（変形例）
上述の第１〜第３実施形態では、印刷設定部で設定されている現在の印刷設定項目群をお気に入りとして登録する場合の方法について説明した。しかしながら、お気に入りの追加の方法としては、図８（ａ）〜（ｃ）に示すお気に入り設定８００をファイル形式で保存しておき、印刷設定部にインポートする場合もある。
【００７８】
図１０は、お気に入りのインポート処理のフローチャートである。当該インポート処理は、図６のインポートボタン６００８の押下をうけてデスクトップＵＩ用印刷設定部３１１２が処理するものである。特に断らない限りこのフローの主体は、デスクトップＵＩ用印刷設定部３１１２である。
【００７９】
まず、デスクトップＵＩ用印刷設定部３１１２はファイルパスを指定するＵＩを表示し、お気に入り設定８００のファイルパスを入手する（Ｓ９３１）。その後、ファイルに含まれるお気に入り設定８００が、デスクトップＵＩ用印刷設定部３１１２がサポートしている形式か否かを判断する（Ｓ９３３）。もしサポートしている形式である場合は、お気に入り設定８００の内容を現在の印刷設定として、上述の実施形態で説明したお気に入りの登録処理（Ｓ９３４）を実行する。
【００８０】
また、上述の各実施形態では、ひとつのお気に入りの設定を追加する処理を説明したが、特に限定する必要はなく複数個のお気に入りの設定を連続で追加してもよい。また特にお気に入りの設定の追加ＵＩを表示せずに、Ｓ９２２、Ｓ９２３で得られる初期値の設定に従い、お気に入りの設定を追加してもよい。
【００８１】
複数個のお気に入りの設定の追加が必要なケースの一例として、お気に入り登録時はもう一つの印刷設定ＵＩが存在しなかったが、登録後にもう一つの印刷設定ＵＩがインストールされた場合が挙げられる。このケースの場合、デスクトップＵＩ用印刷設定部３１１２が登録済のお気に入りの設定群に対して、上述の実施形態と同様の判断処理を行い、その結果、Ｓ９２２、Ｓ９２３で得られる初期値の設定に従いお気に入りを登録するよう構成すると良い。
【００８２】
なお、この処理の主体は、デスクトップＵＩ用印刷設定部３１１２に限定されず、配置対象のタッチパネルＵＩ用印刷設定部３１２２や、インストーラなどの別の機能部が主体となって処理を行ってもよい。
【００８３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015176354.tif 000003
【図２】
2015176354.tif 000004
【図３】
2015176354.tif 000005
【図４】
2015176354.tif 000006
【図５】
2015176354.tif 000007
【図６】
2015176354.tif 000008
【図７】
2015176354.tif 000009
【図８】
2015176354.tif 000010
【図９】
2015176354.tif 000011
【図１０】
2015176354.tif 000012
【図１１】
2015176354.tif 000013
【図１２】
2015176354.tif 000014
【図１３】
2015176354.tif 000015